【手続補正書】
【提出日】平成15年12月5日(2003.12.5)
【手続補正１】
【補正対象書類名】特許請求の範囲
【補正対象項目名】全文
【補正方法】変更
【補正の内容】
【特許請求の範囲】
【請求項１】
ページ幅ドロップオンデマンド・インクジェットプリンタのプリントヘッドアセンブリであって、
前記ページ幅を実質的に横切って延びるチャネル要素であり、細長いチャネルを画成する側壁と底壁とを有する前記チャネル要素と、
前記チャネル要素に固定されるプリントヘッドモジュールのアレイであり、当該プリントヘッドモジュールが前記ページ幅を実質的に横切って延びるように当該プリントヘッドモジュールのそれぞれの一部分が前記チャネル内に配置される、前記プリントヘッドモジュールのアレイと
を備え、前記チャネル要素は、金属製であり、前記プリントヘッドモジュールが主として形成される材料と実質的に等しい熱膨張係数を有している、プリントヘッドアセンブリ。
【請求項２】
前記プリントヘッドモジュールが主として形成される材料がシリコンである、請求項１に記載のプリントヘッドアセンブリ。
【請求項３】
前記チャネル要素が本質的にニッケル鉄合金からなる、請求項１に記載のプリントヘッドアセンブリ。
【請求項４】
前記チャネル要素がニッケルでめっきされている、請求項３に記載のプリントヘッドアセンブリ。
【請求項５】
前記チャネル要素が本質的に「インバール３６（Ｉｎｖａｒ３６）」からなる、請求項１に記載のプリントヘッドアセンブリ。
【請求項６】
前記チャネル要素が、選択された厚さの壁を有するＵ形チャネルであり、前記チャネル要素が、前記壁の厚さの０．０５６％でニッケルめっきされている、請求項１に記載のプリントヘッドアセンブリ。
【請求項７】
エラストマーインク送出し押出品が、前記チャネル要素の底部と前記プリントヘッドモジュールとの間で前記チャネル要素に沿って延びている、請求項１に記載のプリントヘッドアセンブリ。
【請求項８】
各モジュール上のインク入口と前記エラストマーインク送出し押出品上に形成された出口孔との間にシールを形成するように、前記チャネル要素の壁が前記プリントヘッドモジュール上に力を加えている、請求項７に記載のプリントヘッドアセンブリ。
【請求項９】
前記プリントヘッドモジュールが、互いに対して精密な整列関係で保持されている、請求項８に記載のプリントヘッドアセンブリ。
【請求項１０】
各プリントヘッドモジュールが一側にエラストマーパッドを有し、このパッドは前記チャネル要素内で前記プリントヘッドモジュールを「滑動可能化」し、該モジュールの整列関係を失うことなく熱膨張の公差を吸収するよう機能する、請求項１に記載のプリントヘッドアセンブリ。
【請求項１１】
前記チャネル要素は冷間圧延され、焼鈍され、ニッケルめっきされている、請求項１に記載のプリントヘッドアセンブリ。
【請求項１２】
前記チャネル要素は、各端部にカットアウトを有し、プリントヘッドロケーション成形物上のスナップ取付手段と係合するようになっている、請求項１に記載のプリントヘッドアセンブリ。
【請求項１３】
ページ幅ドロップオンデマンド・インクジェットプリンタのプリントヘッドアセンブリを組み立てる方法であって、
（ａ）前記ページ幅を実質的に横切って延びるチャネル要素であり、共働して細長いチャネルを画成する一対の対向する側壁および側壁が延びるベースを有する前記チャネル要素を用意するステップと、
（ｂ）前記チャネル要素に沿った位置で、プリントヘッドモジュールが前記チャネル内に設置されるべき位置にて、前記チャネル要素の前記側壁を広げるように曲げる力を加えるステップと、
（ｃ）前記位置にて前記プリントヘッドモジュールを前記チャネル内に配置するステップと、
（ｄ）前記プリントヘッドモジュールが前記チャネル要素の壁によって保持されるように力を解放するステップと、
（ｅ）前記アセンブリの全てのモジュールが前記チャネル内に設置されるまで、前記チャネルに沿って間隔を空けられた連続位置にて、上記ステップ（ｂ）〜（ｄ）を反復するステップと
を含む方法。
【手続補正２】
【補正対象書類名】明細書
【補正対象項目名】００１５
【補正方法】変更
【補正の内容】
【００１５】
本発明は、ページ幅ドロップオンデマンド・インクジェットプリンタのためのプリントヘッドアセンブリを提供する。このアセンブリは、前記ページ幅を実質的に横切って延びるチャネル要素でありと、細長いチャネルを画成する側壁と底壁とを有する前記チャネル要素と、前記チャネル要素に固定されたプリントヘッドモジュールのアレイとを備える。
【手続補正３】
【補正対象書類名】明細書
【補正対象項目名】００１６
【補正方法】変更
【補正の内容】
【００１６】
各モジュールの一部分は、これらのモジュールが前記ページ幅を実質的に横切って延びるように前記チャネル内に配置される。また、前記チャネル要素は、金属製であり、前記プリントヘッドモジュールが主として形成される材料と実質的に等しい熱膨張係数を有する。
【手続補正４】
【補正対象書類名】明細書
【補正対象項目名】００１８
【補正方法】変更
【補正の内容】
【００１８】
好ましくは、前記チャネル要素は本質的にニッケル鉄合金からなる。
【手続補正５】
【補正対象書類名】明細書
【補正対象項目名】００１９
【補正方法】変更
【補正の内容】
【００１９】
好ましくは、前記チャネル要素はニッケルめっきされる。
【手続補正６】
【補正対象書類名】明細書
【補正対象項目名】００２０
【補正方法】変更
【補正の内容】
【００２０】
好ましくは、前記チャネル要素は本質的に「インバール３６（Ｉｎｖａｒ３６）」からなる。
【手続補正７】
【補正対象書類名】明細書
【補正対象項目名】００２１
【補正方法】変更
【補正の内容】
【００２１】
好ましくは、前記チャネル要素は、選択された厚さの壁を有するＵ形チャネルであり、前記チャネル要素は、前記壁の厚さの０．０５６％でニッケルめっきされる。
【手続補正８】
【補正対象書類名】明細書
【補正対象項目名】００２２
【補正方法】変更
【補正の内容】
【００２２】
好ましくは、エラストマーインク送出し押出品が、前記チャネル要素の底部と前記プリントヘッドモジュールとの間で前記チャネル要素に沿って延びる。
【手続補正９】
【補正対象書類名】明細書
【補正対象項目名】００２３
【補正方法】変更
【補正の内容】
【００２３】
好ましくは、各モジュール上のインク入口と前記エラストマーインク送出し押出品上に形成された出口孔との間にシールを形成するように、前記チャネル要素の壁が前記プリントヘッドモジュール上に力を加える。
【手続補正１０】
【補正対象書類名】明細書
【補正対象項目名】００２５
【補正方法】変更
【補正の内容】
【００２５】
好ましくは、各プリントヘッドモジュールは一側にエラストマーパッドを有し、このパッドは前記チャネル要素内で前記プリントヘッドモジュールを「滑動可能化」し、該モジュールの整列関係を失うことなく熱膨張の公差を吸収するよう機能する。
【手続補正１１】
【補正対象書類名】明細書
【補正対象項目名】００２６
【補正方法】変更
【補正の内容】
【００２６】
好ましくは、前記チャネル要素は冷間圧延され、焼鈍され、ニッケルめっきされる。
【手続補正１２】
【補正対象書類名】明細書
【補正対象項目名】００２７
【補正方法】変更
【補正の内容】
【００２７】
好ましくは、前記チャネル要素は、各端部にカットアウトを有し、プリントヘッドロケーション成形物上のスナップ取付手段と係合するようになっている。
【手続補正１３】
【補正対象書類名】明細書
【補正対象項目名】００２８
【補正方法】変更
【補正の内容】
【００２８】
本発明は、更に、ページ幅ドロップオンデマンド・インクジェットプリンタのプリントヘッドアセンブリを組み立てる方法を提供する。この方法は、
（ａ）前記ページ幅を実質的に横切って延びるチャネル要素であり、共働して細長いチャネルを画成する一対の対向する側壁および側壁が延びるベースを有する前記チャネル要素を用意するステップと、
（ｂ）前記チャネル要素に沿った位置で、プリントヘッドモジュールが前記チャネル内に設置されるべき位置にて、前記チャネル要素の前記側壁を広げるように曲げる力を加えるステップと、
（ｃ）前記位置にて前記プリントヘッドモジュールを前記チャネル内に配置するステップと、
（ｄ）前記プリントヘッドモジュールが前記チャネル要素の壁によって保持されるように力を解放するステップと、
（ｅ）前記アセンブリの全てのモジュールが前記チャネル内に設置されるまで、前記チャネルに沿って間隔を空けられた連続位置にて、上記ステップ（ｂ）〜（ｄ）を反復するステップと
を含む。
【手続補正１４】
【補正対象書類名】明細書
【補正対象項目名】００２９
【補正方法】変更
【補正の内容】
【００２９】
ここで使用されるように、用語「インク」は、プリント媒体へ送り出されるようにプリントヘッドを介して流れる任意の流体を意味することを意味する。流体は多くの異なったカラーのインク、赤外線インク、安定化液などの１つであってよい。また、本明細書の説明において、用語「チャネル」は、簡単のために、構成要素に関する限りにおいて、溝（チャネル）状空間を画成する壁を有している物理的な構成要素を意味するものとする。文の前後関係によっては、用語「チャネル」がこのような要素により画成される空間を示し、そのような語として理解されるべきものである。